(57)【要約】【課題】工事の現場において使用される建設機械の管理を容易にすると共に、建設機械の運用において、管理されたデータの活用を容易にする。【解決手段】管理システム１は、端末と通信可能に構成され建設機械を管理する管理システム１であって、建設現場で使用される建設機械に関する情報であって、少なくとも当該建設機械の属性情報を含む基本機械データを端末から取得する基本機械データ取得部１１と、建設機械を一意に識別して管理するための情報であって基本機械データに関連付けられた管理情報を発行する管理情報発行部１２と、端末において取得された管理情報を受信する管理情報受信部１３と、管理情報受信部１３により受信された管理情報に関連付けられた基本機械データを端末に送信する機械データ送信部１４とを備える。【選択図】図２
2019153147.tif 000002
【特許請求の範囲】
【請求項１】
端末と通信可能に構成され建設機械を管理する管理システムであって、
建設現場で使用される建設機械に関する情報であって、少なくとも当該建設機械の属性情報を含む基本機械データを前記端末から取得する基本機械データ取得部と、
前記建設機械を一意に識別して管理するための情報であって前記基本機械データに関連付けられた管理情報を発行する管理情報発行部と、
前記端末において取得された前記管理情報を受信する管理情報受信部と、
前記管理情報受信部により受信された前記管理情報に関連付けられた前記基本機械データを前記端末に送信する機械データ送信部と、
を備える管理システム。
【請求項２】
前記建設機械の点検の結果を示し当該建設機械を識別する管理情報に関連付けられた点検情報を前記端末から取得する点検情報取得部と、
前記点検情報に基づいて、前記建設機械の稼働の可否を判断する判断部と、
前記判断部による判断の結果を示す稼働可否情報を少なくとも前記端末に出力する出力部と、をさらに備える、
請求項１に記載の管理システム。
【請求項３】
前記建設機械の一部を構成する構成部品の損耗に関する情報、及び、前記建設機械の稼働に要するエネルギーの消費に関する情報の少なくとも一方を含み前記管理情報に関連付けられたメンテナンス基礎情報を取得するメンテナンス基礎情報取得部と、
前記メンテナンス基礎情報に基づいて、前記構成部品の交換及び前記エネルギーの補給の少なくとも一方の時期に関するメンテナンスの時期を予測するメンテナンス時期予測部と、をさらに備え、
前記出力部は、前記メンテナンスの時期に関する情報を含むメンテナンス推奨情報を前記端末に出力する、
請求項２に記載の管理システム。
【請求項４】
前記メンテナンス基礎情報取得部は、前記構成部品を用いた施工の量に関する施工量情報及び前記構成部品を交換した時期に関する交換実績情報を少なくとも含むメンテナンス基礎情報を取得し、
前記メンテナンス時期予測部は、前記施工量情報及び前記交換実績情報に基づいて、前記構成部品を交換する時期を予測する、
請求項３に記載の管理システム。
【請求項５】
前記建設機械は、地中に穴を掘るためのボーリングマシンであり、
前記施工量情報は、掘り進めた穴の長さを表す削孔長を含み、
前記構成部品は、地中を掘削する部分を構成するビットである、
請求項４に記載の管理システム。
【請求項６】
前記メンテナンス基礎情報取得部は、前記建設機械を稼働した時間に関する稼働時間情報及び稼働の量に関する稼働量情報のうちの少なくともいずれか並びにエネルギーを補給した時期に関する補給実績情報を含むメンテナンス基礎情報を取得し、
前記メンテナンス時期予測部は、前記稼働時間情報及び前記稼働量情報の少なくともいずれか並びに前記補給実績情報に基づいて、前記建設機械のエネルギーを補給する時期を予測する、
請求項３〜５のいずれか一項に記載の管理システム。
【請求項７】
前記メンテナンス基礎情報に基づいて、前記構成部品の施工の量に対する損耗の割合である損耗率、及び、前記建設機械を稼働した時間または量に対するエネルギーの消費の割合である消費率の少なくともいずれかを含むメンテナンス統計情報を生成するメンテナンス統計情報生成部、をさらに備え、
前記出力部は、前記メンテナンス統計情報を前記端末に出力する、
請求項３〜６のいずれか一項に記載の管理システム。
【請求項８】
前記管理情報発行部は、前記建設機械に貼付される、光学的に情報を読み取り可能なコードとして前記管理情報を発行する、
請求項１〜７のいずれか一項に記載の管理システム。
【請求項９】
端末と通信可能に構成され建設機械を管理する管理システムにおける管理方法であって、
建設現場で使用される建設機械に関する情報であって、少なくとも当該建設機械の属性情報を含む基本機械データを前記端末から取得する基本機械データ取得ステップと、
前記建設機械を一意に識別して管理するための情報であって前記基本機械データに関連付けられた管理情報を発行する管理情報発行ステップと、
前記端末において取得された前記管理情報を受信する管理情報受信ステップと、
前記管理情報受信ステップにおいて受信された前記管理情報に関連付けられた前記基本機械データを前記端末に送信する機械データ送信ステップと、
を有する管理方法。
【請求項１０】
端末と通信可能に構成され建設機械を管理する管理システムとしてコンピュータを機能させるデータ管理プログラムであって、
前記コンピュータを、
建設現場で使用される建設機械に関する情報であって、少なくとも当該建設機械の属性情報を含む基本機械データを前記端末から取得する基本機械データ取得手段、
前記建設機械を一意に識別して管理するための情報であって前記基本機械データに関連付けられた管理情報を発行する管理情報発行手段、
前記端末において取得された前記管理情報を受信する管理情報受信手段、及び、
前記管理情報受信手段により受信された前記管理情報に関連付けられた前記基本機械データを前記端末に送信する機械データ送信手段、
として機能させる管理プログラム。
【発明の詳細な説明】
【技術分野】
【０００１】
本発明は、管理システム、管理方法及び管理プログラムに関する。
【背景技術】
【０００２】
土木工事及び建設工事等の現場において、移動式クレーン等に例示される工事車両を含む建設機械を用いるに際して、所定の法律等により、建設機械の整備及び点検の実施並びにそれらの実施の記録を保存することが義務づけられている。このような工事は、複数の企業により共同で行われることが多い。かかる場合に、関係会社が建設機械を現場に持ち込む場合には、関係会社が当該工事を管理する主体となる主体会社に対して建設機械の使用届を提出し、主体会社が使用届に基づいて、現場で用いられる建設機械を適切に管理及び運用することが求められる。例えば、建設機械の作業位置情報と動作状態情報とを関連付けて管理するシステムが知られている（例えば、特許文献１参照）。
【先行技術文献】
【特許文献】
【０００３】
【特許文献１】特開２０１３−１１４５８０号公報
【発明の概要】
【発明が解決しようとする課題】
【０００４】
従来、関係会社から主体会社に対して提出される使用届等の建設機械に関する情報のやり取りは、紙の媒体により行われていた。このため、現場に持ち込まれる建設機械の管理、点検の記録及び集計が煩雑であり、非常に手間を要していた。また、管理及び集計された情報を現場において参照するためには、紙の媒体を持ち運ばなければならず、多大な労力が費やされていた。
【０００５】
そこで本発明は、工事の現場において使用される建設機械の管理を容易にすると共に、建設機械の運用において、管理されたデータの活用を容易にすることを目的とする。
【課題を解決するための手段】
【０００６】
上記課題を解決するために、本発明の一形態に係る管理システムは、端末と通信可能に構成され建設機械を管理する管理システムであって、建設現場で使用される建設機械に関する情報であって、少なくとも当該建設機械の属性情報を含む基本機械データを端末から取得する基本機械データ取得部と、建設機械を一意に識別して管理するための情報であって基本機械データに関連付けられた管理情報を発行する管理情報発行部と、端末において取得された管理情報を受信する管理情報受信部と、管理情報受信部により受信された管理情報に関連付けられた基本機械データを端末に送信する機械データ送信部と、を備える。
【０００７】
本発明の一形態に係る管理方法は、端末と通信可能に構成され建設機械を管理する管理システムにおける管理方法であって、建設現場で使用される建設機械に関する情報であって、少なくとも当該建設機械の属性情報を含む基本機械データを端末から取得する基本機械データ取得ステップと、建設機械を一意に識別して管理するための情報であって基本機械データに関連付けられた管理情報を発行する管理情報発行ステップと、端末において取得された管理情報を受信する管理情報受信ステップと、管理情報受信ステップにおいて受信された管理情報に関連付けられた基本機械データを端末に送信する機械データ送信ステップと、を有する。
【０００８】
本発明の一形態に係る管理プログラムは、端末と通信可能に構成され建設機械を管理する管理システムとしてコンピュータを機能させるデータ管理プログラムであって、コンピュータを、建設現場で使用される建設機械に関する情報であって、少なくとも当該建設機械の属性情報を含む基本機械データを端末から取得する基本機械データ取得手段、建設機械を一意に識別して管理するための情報であって基本機械データに関連付けられた管理情報を発行する管理情報発行手段、端末において取得された管理情報を受信する管理情報受信手段、及び、管理情報受信手段により受信された管理情報に関連付けられた基本機械データを端末に送信する機械データ送信手段、として機能させる。
【０００９】
上記の形態によれば、建設機械に関する基本機械データが端末から取得され、管理情報により一意に識別されるので、取得された基本機械データを記憶手段に記憶させることにより、建設機械の管理を容易にできる。また、管理している基本機械データが管理情報に基づいて端末に送信されるので、建設機械に関する情報を容易に参照できる。従って、関係会社により持ち込まれた建設機械の管理及び運用を容易に行うことができる。
【００１０】
別の形態に係る管理システムは、建設機械の点検の結果を示し当該建設機械を識別する管理情報に関連付けられた点検情報を端末から取得する点検情報取得部と、点検情報に基づいて、建設機械の稼働の可否を判断する判断部と、判断部による判断の結果を示す稼働可否情報を少なくとも端末に出力する出力部と、をさらに備えることとしてもよい。
【００１１】
上記の形態によれば、点検情報が管理情報に管理付けられて取得されるので，点検情報を容易に管理できる。また、取得した点検情報に基づいて建設機械の稼働の可否を判断できるので、建設機械の適切な運用が可能となる。
【００１２】
別の形態に係る管理システムは、建設機械の一部を構成する構成部品の損耗に関する情報、及び、建設機械の稼働に要するエネルギーの消費に関する情報の少なくとも一方を含み管理情報に関連付けられたメンテナンス基礎情報を取得するメンテナンス基礎情報取得部と、メンテナンス基礎情報に基づいて、構成部品の交換及びエネルギーの補給の少なくとも一方の時期に関するメンテナンスの時期を予測するメンテナンス時期予測部と、をさらに備え、出力部は、メンテナンスの時期に関する情報を含むメンテナンス推奨情報を端末に出力することとしてもよい。
【００１３】
上記の形態によれば、メンテナンス基礎情報が管理情報に管理付けられて取得されるので、メンテナンス基礎情報を容易に管理できる。また、取得したメンテナンス基礎情報に基づいて構成部品の交換の時期またはエネルギーの補給の時期を予測できるので、建設機械のより適切な運用が実現される。
【００１４】
別の形態に係る管理システムでは、メンテナンス基礎情報取得部は、構成部品を用いた施工の量に関する施工量情報及び構成部品を交換した時期に関する交換実績情報を少なくとも含むメンテナンス基礎情報を取得し、メンテナンス時期予測部は、施工量情報及び交換実績情報に基づいて、構成部品を交換する時期を予測することとしてもよい。
【００１５】
上記の形態によれば、メンテナンス基礎情報に、施工量情報及び交換実績情報が含まれるので、構成部品の交換の時期が適切に予測される。
【００１６】
別の形態に係る管理システムでは、建設機械は、地中に穴を掘るためのボーリングマシンであり、施工量情報は、掘り進めた穴の長さを表す削孔長を含み、構成部品は、地中を掘削する部分を構成するビットであることとしてもよい。
【００１７】
上記の形態によれば、メンテナンス基礎情報に含まれる施工量情報として、ボーリングマシンの削孔長が取得されるので、ボーリングマシンのビットの交換の時期が適切に予測される。
【００１８】
別の形態に係る管理システムでは、メンテナンス基礎情報取得部は、建設機械を稼働した時間に関する稼働時間情報及び稼働の量に関する稼働量情報のうちの少なくともいずれか並びにエネルギーを補給した時期に関する補給実績情報を含むメンテナンス基礎情報を取得し、メンテナンス時期予測部は、稼働時間情報及び稼働量情報の少なくともいずれか並びに補給実績情報に基づいて、建設機械のエネルギーを補給する時期を予測することとしてもよい。
【００１９】
上記の形態によれば、メンテナンス基礎情報に、稼働量情報及び稼働時間情報のうちの少なくともいずれか並びに補給実績情報が含まれるので、建設機械に対するエネルギーの補給の時期が適切に予測される。
【００２０】
別の形態に係る管理システムでは、メンテナンス基礎情報に基づいて、構成部品の施工の量に対する損耗の割合である損耗率、及び、建設機械を稼働した時間または量に対するエネルギーの消費の割合である消費率の少なくともいずれかを含むメンテナンス統計情報を生成するメンテナンス統計情報生成部、をさらに備え、出力部は、メンテナンス統計情報を端末に出力することとしてもよい。
【００２１】
上記の形態によれば、メンテナンス基礎情報に基づいて算出された構成部品の損耗率に関する情報が端末に提供されるので、端末のユーザにおいて当該構成部品の適切な運用の検討が可能となる。また、エネルギーの消費率に関する情報が端末に提供されるので、端末のユーザにおいて当該建設機械の適切な運用の検討が可能となる。
【００２２】
別の形態に係る管理システムでは、管理情報発行部は、建設機械に貼付される光学的に情報を読み取り可能なコードとして管理情報を発行することとしてもよい。
【００２３】
上記の形態によれば、ＱＲコード（登録商標）に例示される光学的に情報を読み取り可能なコード（媒体）として管理情報を発行し、管理情報が含まれる媒体を管理対象の建設機械に貼付することにより、当該建設機械を容易に管理できる。また、建設機械に貼付された媒体から端末において読み取られた管理情報を当該管理システムに送信することにより、端末において当該建設機械に関する種々の情報を参照したり、当該建設機械の点検等に関する情報を容易に当該管理システムに登録したりすることができる。
【発明の効果】
【００２４】
本発明の一側面によれば、工事の現場において使用される建設機械の管理を容易にすると共に、建設機械の運用において、管理されたデータの活用を容易にすることが可能となる。
【図面の簡単な説明】
【００２５】
【図１】本実施形態に係る管理システムの装置構成を示す図である。
【図２】管理装置の機能的構成を示すブロック図である。
【図３】管理装置のハードウェア構成を示す図である。
【図４】関係会社の端末における基本機械データの入力画面（入力フォーマット）の例を示す図である。
【図５】端末における基本機械データの表示例を示す図である。
【図６】端末において表示された点検情報入力フォーマットの例を示す図である。
【図７】端末におけるメンテナンス基礎情報の入力画面の例を示す図である。
【図８】端末におけるメンテナンス基礎情報の入力画面の例を示す図である。
【図９】メンテナンス統計情報生成部により生成されたメンテナンス統計情報の例を示す図である。
【図１０】端末における作業予定情報の入力画面例を示す図である。
【図１１】メンテナンス時期予測部による、ボーリングマシンのビットの交換時期の予測の例を示す図である。
【図１２】端末において出力されたメンテナンス推奨情報の例を示す図である。
【図１３】管理システムにおいて実施される管理方法の処理内容を示すフローチャートである。
【図１４】管理システムにおいて実施される管理方法の処理内容を示すフローチャートである。
【図１５】管理プログラムの構成を示す図である。
【発明を実施するための形態】
【００２６】
以下、添付図面を参照しながら本発明の実施形態を詳細に説明する。なお、図面の説明において同一又は同等の要素には同一の符号を付し、重複する説明を省略する。
【００２７】
図１は、本実施形態に係る管理システム１の装置構成を示す図である。管理システム１は、土木工事及び建設工事等の現場において使用される建設機械を管理するシステムである。図１に示す管理システム１は、管理装置１０及び端末Ｔを含み、管理装置１０及び端末Ｔは、ネットワークＮを介して互いに通信可能である。
【００２８】
端末Ｔは、例えば、据置型又は携帯型のパーソナルコンピュータ、高機能携帯電話機（スマートフォン）等により構成されるが、端末Ｔを構成する装置は限定されず、例えば携帯電話機、携帯情報端末（ＰＤＡ）などの携帯端末でもよい。なお、図１では、例として３台の端末Ｔ１〜Ｔ３が示されているが、その数はこれに限定されない。これらの端末Ｔ１〜Ｔ３は、工事に携わる各ユーザにより操作される。工事に携わるユーザは、例えば、共同事業体における管理の主体会社、関係会社等である。
【００２９】
図２は、管理装置１０の機能的構成を示すブロック図である。管理装置１０は、例えば、サーバ等のコンピュータにより構成される。
【００３０】
本実施形態の管理装置１０は、図２に示すように、機能的には、基本機械データ取得部１１、管理情報発行部１２、管理情報受信部１３、機械データ送信部１４、点検情報取得部１５、判断部１６、出力部１７、メンテナンス基礎情報取得部１８、メンテナンス時期予測部１９及びメンテナンス統計情報生成部２０を備える。
【００３１】
また、管理装置１０の各機能部は、基本機械データ記憶部３０、点検情報記憶部４０及びメンテナンス情報記憶部５０といった記憶手段にアクセス可能である。これらの記憶部は、管理装置１０に備えられることとしてもよいし、管理装置１０からのアクセスが可能に設けられた外部の記憶手段として構成されてもよい。
【００３２】
図３は、管理装置１０のハードウェア構成図である。管理装置１０は、物理的には、図３に示すように、ＣＰＵ１０１、ＲＡＭ及びＲＯＭといったメモリにより構成される主記憶装置１０２、ハードディスク等で構成される補助記憶装置１０３、通信制御装置１０４などを含むコンピュータシステムとして構成されている。管理装置１０は、入力デバイスであるキーボード、タッチパネル、マウス等の入力装置１０５及びディスプレイ等の出力装置１０６をさらに含むこととしてもよい。
【００３３】
図２に示した各機能は、図３に示すＣＰＵ１０１、主記憶装置１０２等のハードウェア上に所定のコンピュータソフトウェアを読み込ませることにより、ＣＰＵ１０１の制御のもとで通信制御装置１０４等を動作させるとともに、主記憶装置１０２や補助記憶装置１０３におけるデータの読み出し及び書き込みを行うことで実現される。処理に必要なデータやデータベースは主記憶装置１０２や補助記憶装置１０３内に格納される。なお、端末Ｔも、図３に示すようなハードウェア構成を有するコンピュータシステムとして構成される。なお、本実施形態では、機能部１１〜２０が、管理装置１０に構成されることとしているが、複数のコンピュータに分散して構成されることとしてもよい。
【００３４】
再び図２を参照して、管理装置１０の機能部を説明する。基本機械データ取得部１１は、建設現場で使用される建設機械に関する情報である基本機械データを端末Ｔから取得する。基本機械データは、少なくとも当該建設機械の属性情報を含む。基本機械データの取得は、関係会社が建設機械を工事の現場に持ち込むことの申請のために行われる。
【００３５】
具体的には、例えば主体会社の端末Ｔからの指示に基づいて、管理装置１０は、関係会社の端末Ｔに、基本機械データを入力させるための入力フォーマットを含むＷｅｂサイトを提供する。または、入力フォーマットがメールにより提供されてもよい。
【００３６】
図４は、関係会社の端末Ｔにおける基本機械データの入力画面（入力フォーマット）の例を示す図である。図４に示すように、持ちこみを申請する対象の建設機械の名称、運転者等の種々の属性情報が、基本機械データとして関係会社の端末Ｔにおいて入力される。そして、入力された属性情報を含む基本機械データが関係会社の端末Ｔから管理装置１０に返信される。基本機械データ取得部１１は、このように端末Ｔから送信された基本機械データを取得する。
【００３７】
基本機械データ取得部１１は、取得した基本機械データを基本機械データ記憶部３０に記憶させる。基本機械データ記憶部３０は、基本機械データを蓄積する記憶手段である。従来、関係会社からの建設機械の持ちこみの申請は、紙媒体により行われていた。本実施形態では、このように、端末Ｔにおいて入力された基本機械データの取得により、建設機械の持ちこみを申請でき、取得された基本機械データがデータベースに蓄積されるので、建設機械の持ちこみを申請、及びその申請に係るデータの管理が容易になる。
【００３８】
なお、基本機械データ取得部１１は、基本機械データの取得に応じて、建設機械の持ち込み及び使用の申請のための、紙媒体により構成される申請フォーマットを関係会社の端末Ｔに出力させることとしてもよい。即ち、基本機械データ取得部１１は、取得した基本機械データの内容に対する主体会社の端末Ｔにおける主体会社のユーザによる承認のための操作を受けて、関係会社における申請フォーマットの出力を可能にするための情報を端末Ｔに送信する。関係会社においては、持ち込みに係る建設機械に関する情報を申請フォーマットに記入し、必要な情報が記入された申請フォーマットが関係会社から主体会社に提出されることによい、主体会社における紙媒体による建設機械の管理が可能となる。
【００３９】
管理情報発行部１２は、建設機械を一意に識別して管理するための管理情報を発行する。即ち、管理情報は、基本機械データ取得部１１により取得された基本機械データに関連付けられることにより、持ち込みの申請がされた建設機械を一意に識別する。
【００４０】
具体的には、管理情報発行部１２は、識別子からなる管理情報を関係会社の端末Ｔに送信することにより管理情報を発行する。また、管理情報発行部１２は、例えばＱＲコード（登録商標）に例示される光学的に情報を読み取り可能なコード（媒体）として管理情報を発行できる。より具体的には、印刷されたＱＲコードを、当該ＱＲコードにより識別する建設機械に貼付することにより，当該建設機械を一意に管理できる。なお、管理情報は、ＩＣチップ及び磁気的媒体等により発行されてもよい。
【００４１】
管理情報受信部１３は、端末Ｔにおいて取得された管理情報を受信する。具体的には、管理情報受信部１３は、端末Ｔにおいて入力された建設機械の識別子を管理情報として受信できる。また、管理情報受信部１３は、端末Ｔにおいて建設機械に貼付されたＱＲコード等の媒体から読み取られた情報を管理情報として受信できる。端末Ｔから管理装置１０に管理情報が送信されることにより、当該管理情報に関連付けられた建設機械の点検等に関する情報を容易に当該管理装置１０に登録できる。また、端末Ｔから管理装置１０に送信された管理情報に関連付けられた種々の情報が当該端末Ｔに返信されることにより、端末Ｔにおいて当該建設機械に関する種々の情報を参照できる。
【００４２】
機械データ送信部１４は、管理情報受信部１３により受信された管理情報に関連付けられた基本機械データを端末Ｔに送信する。具体的には、例えば、工事の現場において建設機械の情報を参照する場合において、端末Ｔにより建設機械に貼付されたＱＲコード等の媒体から、当該建設機械を識別する管理情報を読み取る。そして、端末Ｔは、読み取った管理情報を管理装置１０に送信する。管理情報受信部１３は、端末Ｔから送信された管理情報を受信する。そして、機械データ送信部１４は、基本機械データ記憶部３０を参照して、受信した管理情報に関係付けられている基本機械データを抽出し、抽出した基本機械データを端末Ｔに返信する。端末Ｔは、返信された基本機械データを、ディスプレイ等に表示する。図５は、端末Ｔにおける基本機械データの表示例を示す図である。図５に示すように、建設機械の種々の属性情報を含む基本機械データが端末Ｔにおいて表示される。
【００４３】
点検情報取得部１５は、建設機械の点検の結果を示す点検情報を端末Ｔから取得する。点検情報は、当該建設機械を識別する管理情報に関連付けられて端末Ｔから送信される。具体的には、例えば、点検情報取得部１５は、点検情報の取得に先立って、点検情報を入力するための画面情報（点検情報入力フォーマット）を端末Ｔに送信する。端末Ｔは、取得した点検情報入力フォーマットをディスプレイに表示する。
【００４４】
図６は、端末Ｔにおいて表示された点検情報入力フォーマットの例を示す図である。図６に示すように、点検情報入力フォーマットは、各種の点検項目ｃｋ１、チェック欄ｃｋ２を含む。端末Ｔのユーザは、工事の現場において建設機械の点検を行い、点検済みの点検項目ｃｋ１に相当するチェック欄ｃｋ２に、点検済みである旨の入力を点検結果の入力として行うことができる。端末Ｔは、点検結果を含む点検情報を点検対象の建設機械の管理情報と関連付けて管理装置１０に送信する。点検情報取得部１５は、端末Ｔから送信された点検情報を取得し、取得した点検情報を、建設機械ごとの管理情報に関連付けて点検情報記憶部４０に記憶させる。このように、建設機械の点検情報が管理情報に管理付けられて取得されるので，点検情報を容易に管理できる。
【００４５】
判断部１６は、点検情報に基づいて、建設機械の稼働の可否を判断する。具体的には、判断部１６は、点検情報記憶部４０に記憶された点検情報を参照して、建設機械の稼働の可否を判断する。例えば、判断部１６は、ある建設機械の点検情報において、全ての点検項目が点検済みである場合に、当該建設機械の稼働が可能であることを判断する。また、判断部１６は、点検情報において、点検済みではない項目が含まれていた場合に、当該建設機械の稼働が不可であることを判断する。また、判断部１６は、点検情報における点検項目のうち、所定の項目が点検済みであるか否かに基づいて、建設機械の稼働の可否を判断してもよい。
【００４６】
出力部１７は、判断部１６による判断の結果を示す稼働可否情報を少なくとも端末Ｔに出力する。本実施形態では、例えば、管理情報受信部１３が、ある建設機械の稼働可否情報の要求とともに当該建設機械を識別する管理情報を端末Ｔから受信した場合に、出力部１７は、判断部１６により判断された、当該管理情報により識別される建設機械の稼働の可否を示す稼働可否情報を端末Ｔに出力する。
【００４７】
また、管理情報受信部１３が、ある建設機械の点検情報の参照の要求とともに当該建設機械を識別する管理情報を端末Ｔから受信した場合に、出力部１７は、管理情報に関連付けられた点検情報を点検情報記憶部４０から抽出し、抽出した点検情報を当該端末Ｔに出力する。また、出力部１７は、主体会社の端末Ｔからの要求に応じて、対象の建設機械の稼働可否情報及び点検情報を出力してもよい。
【００４８】
このように、取得した点検情報に基づいて建設機械の稼働の可否が判断され、判断の結果を含む稼働可否情報が端末に送信されるので、建設機械の適切な運用が可能となる。
【００４９】
メンテナンス基礎情報取得部１８は、管理情報に関連付けられたメンテナンス基礎情報を取得する。メンテナンス基礎情報は、建設機械の一部を構成する構成部品の損耗に関する情報、及び、建設機械の稼働に要するエネルギーの消費に関する情報の少なくとも一方を含む。メンテナンス基礎情報取得部１８は、取得したメンテナンス基礎情報をメンテナンス情報記憶部５０に記憶させる。メンテナンス基礎情報は、例えば、端末Ｔを介して入力される。
【００５０】
本実施形態では、メンテナンス基礎情報取得部１８は、構成部品を用いた施工の量に関する施工量情報及び構成部品を交換した時期に関する交換実績情報を少なくとも含むメンテナンス基礎情報を取得する。
【００５１】
また、メンテナンス基礎情報取得部１８は、建設機械を稼働した時間に関する稼働時間情報及び稼働の量に関する稼働量情報のうちの少なくともいずれか並びにエネルギーを補給した時期に関する補給実績情報を含むメンテナンス基礎情報を取得する。
【００５２】
図７及び図８は、端末Ｔにおけるメンテナンス基礎情報の入力画面の例を示す図である。この例では、地中に穴を掘るためのボーリングマシンのメンテナンス基礎情報の入力が示されている。ボーリングマシンは、地中を掘削する部分を構成するビットを構成部品として含む。
【００５３】
図７に示すように、端末Ｔにおいて、削孔長ｍｔ１、削孔時地質データｍｔ２及び削孔時回転速度（ギア）ｍｔ３が、メンテナンス基礎情報として入力されている。端末Ｔは、入力されたメンテナンス基礎情報を管理装置１０に送信する。メンテナンス基礎情報取得部１８は、例えば、削孔長ｍｔ１を施工量情報として取得する。また、メンテナンス基礎情報取得部１８は、削孔時地質データｍｔ２及び削孔時回転速度（ギア）ｍｔ３を付加的情報として取得する。これらの付加的情報は、後述されるメンテナンス統計情報の生成に供される。また、施工量情報には、例えば、削孔時間等の時間に建設機械の稼働時間に関する情報を含んでもよい。
【００５４】
また、図８に示すように、端末Ｔにおいて、ビット交換日・個数ｍｔ４、ロッド交換日・本数ｍｔ５及び燃料給油日・量ｍｔ６がメンテナンス基礎情報として入力されている。ロッドは、ボーリングマシンの構成部品の１つである。端末Ｔはこれらの入力されたメンテナンス基礎情報を管理装置１０に送信する。メンテナンス基礎情報取得部１８は、例えば、ビット交換日・個数ｍｔ４及びロッド交換日・本数ｍｔ５を交換実績情報として取得する。また、メンテナンス基礎情報取得部１８は、燃料給油日・量ｍｔ６を補給実績情報として取得する。
【００５５】
また、図７及び図８には示されていないが、メンテナンス基礎情報取得部１８は、ボーリングマシンを稼働させた稼働時間（例えば、日毎に）を稼働時間情報として取得してもよい。また、建設機械が走行動作を行う車両である場合には、メンテナンス基礎情報取得部１８は、走行距離を稼働量情報として取得してもよい。
【００５６】
メンテナンス時期予測部１９は、メンテナンス基礎情報に基づいて、前記構成部品の交換及び前記エネルギーの補給の少なくとも一方の時期に関するメンテナンスの時期を予測する。
【００５７】
また、メンテナンス統計情報生成部２０は、メンテナンス基礎情報に基づいて、メンテナンス統計情報を生成する。メンテナンス統計情報は、建設機械の構成部品の施工の量に対する損耗の割合である損耗率、及び、建設機械を稼働した時間または量に対するエネルギーの消費の割合である消費率の少なくともいずれかを含む。以下に、メンテナンス時期の予測及びメンテナンス統計情報の生成について説明する。
【００５８】
図９は、メンテナンス統計情報生成部２０により生成されたメンテナンス統計情報の例を示す図である。メンテナンス統計情報生成部２０は、例えば、構成部品の損耗率を統計情報として生成する。建設機械がボーリングマシンである場合には、損耗率は、例えば、削孔長を施工の量として、削孔長に対するビットの損耗の割合である。メンテナンス統計情報生成部２０は、ビット交換日ｍｔ４、日毎の削孔長ｍｔ１に基づいて、１つのビットの損耗の割合が１００％に達するまでの削孔長を統計的に算出できる。また、この算出は、削孔時地質データｍｔ２を用いることにより、削孔時の地質ごとに行うことができる。このようにして、メンテナンス統計情報生成部２０は、図９に示されるような、ボーリングマシンのビットの地質ごとの損耗率を生成できる。
【００５９】
また、ある構成部品に関して、複数の機種及び複数のメーカーのものが存在する場合には、メンテナンス基礎情報を機種ごと及びメーカーごとに取得することにより、メンテナンス統計情報生成部２０は、その構成部品に関して、機種ごと及びメーカーごとの損耗率を生成できる。なお、損耗率は、ボーリングマシンの実稼働時間に対する損耗の割合として算出されてもよい。
【００６０】
また、メンテナンス統計情報生成部２０は、建設機械のエネルギーの消費率をメンテナンス統計情報として生成する。消費率は、例えば、ボーリングマシンの稼働時間（削孔作業の時間）、削孔長等の稼働量に対する燃料（エネルギー）の消費の割合である。メンテナンス統計情報生成部２０は、例えば、燃料給油日・量ｍｔ６、削孔長ｍｔ１、稼働時間情報等に基づいて消費率を統計的に算出できる。
【００６１】
出力部１７は、メンテナンス統計情報生成部２０により生成されたこれらのメンテナンス統計情報を端末Ｔに出力する。これにより、端末Ｔのユーザ（例えば、主体会社及び関係会社等）において、建設機械及びその構成部品の適切な運用の検討が可能となる。
【００６２】
メンテナンス時期予測部１９は、施工量情報及び交換実績情報に基づいて、構成部品を交換する時期を予測する。また、メンテナンス時期予測部１９は、さらに、当該建設機械に関する作業予定情報を参照して、構成部品の交換の時期を予測してもよい。図１０は、端末Ｔにおける作業予定情報の入力画面例を示す図である。図１０に示されるように、作業機械がボーリングマシンである場合において、例えば、削孔設計土質データｍｐ１及び削孔予定長ｍｐ２等のデータが作業予定情報として端末Ｔにおいて入力される。これらの作業予定情報は、端末Ｔから管理装置１０に送信される。メンテナンス時期予測部１９は、端末Ｔから作業予定情報を取得する。
【００６３】
図１１は、メンテナンス時期予測部１９による、ボーリングマシンのビットの交換時期の予測の例を示す図である。図１１では、ビットの交換を伴いながら行われた削孔における、削孔長に対するビットごとの損耗率の推移が示されている。図１１に示す例では、グラフｂｔ１に示すように、地質が砂である地層に対する約１０００ｍの削孔長の削孔が行われたときに、第１のビットの損耗率が１００％に達して、ビットの交換が行われている。さらに、グラフｂｔ２に示すように、地質が岩である地層に対する約５００ｍの削孔長の削孔が行われたときに、第２のビットの損耗率が１００％に達して、ビットの交換が行われている。そして、グラフｂｔ３１に示すように、第３のビットによる、地質が砂礫である地層に対する約２００ｍの削孔長の削孔が行われて現在に至る。
【００６４】
ここで、メンテナンス時期予測部１９は、砂礫の地層の削孔に関して算出された損耗率を含むメンテナンス統計情報に基づいて、あと何メートルの削孔を行ったときに、ビットの損耗率が１００％に達するかを予測する。即ち、メンテナンス時期予測部１９は、グラフｂｔ３２に示すように、さらに５５０ｍの削孔を行ったときに損耗率が１００％に達することを予測する。出力部１７は、第３のビットにより更に５５０ｍの削孔を行うとビットの交換時期となる旨の情報を含むメンテナンス推奨情報を端末Ｔに出力する。
【００６５】
また、現在以降の複数日に亘る作業予定情報が取得された場合には、メンテナンス時期予測部１９は、メンテナンス基礎情報及びメンテナンス統計情報に基づいて、構成部品の交換日を予測できる。即ち、メンテナンス時期予測部１９は、現在以降の各日の作業予定情報に基づいて、日毎の損耗率を算出できるので、構成部品の損耗率が１００％に達する日を判定できる。出力部１７は、メンテナンス時期予測部１９により判定された、構成部品の損耗率が１００％に達する日を、メンテナンス推奨情報として出力する。
【００６６】
図１２は、端末Ｔにおいて出力されたメンテナンス推奨情報の例を示す図である。本実施形態では、図１２に示すように、端末Ｔにおいて、カレンダー形式で日毎の情報を表示できる。例えば、メンテナンス時期予測部１９により、日毎の作業によりボーリングマシンのビットの損耗率が１００％に達し、ビットの交換を要する交換日が４月１４日であることが予測された場合に、出力部１７は、４月１４日にビットの交換を推奨する旨のメンテナンス推奨情報を端末Ｔに出力する。端末Ｔは、カレンダーが表示された画面の４月１４日の欄に、メンテナンス推奨情報ｍｄ１を表示させる。これにより、建設機械の構成部品の交換時期が適切に予測され、予測された交換時期に関する情報を端末Ｔのユーザに認識させることができる。
【００６７】
なお、図１２に示すように、出力部１７は、点検を実施すべき時期を示す点検推奨情報ｍｄ２をカレンダーに表示させてもよい。前述のとおり、持ち込まれた建設機械は、所定の契機で点検が行われなければならない。出力部１７は、予め設定された点検の時期に関する情報に基づいて、点検推奨情報を端末Ｔに出力することができる。これにより、持ち込まれた建設機械の点検に関する確実な管理が可能となる。
【００６８】
また、メンテナンス時期予測部１９は、建設機械に関する稼働時間情報及び稼働量情報の少なくともいずれか並びに補給実績情報に基づいて、建設機械のエネルギーを補給する時期を予測する。エネルギーの補給に関するメンテナンス時期の予測及びメンテナンス推奨情報の出力は、図９〜図１２を参照して説明した、構成部品の交換に関するメンテナンス時期の予測及びメンテナンス推奨情報の出力と同様に実施できる。
【００６９】
即ち、メンテナンス時期予測部１９は、メンテナンス統計情報生成部２０により生成されたエネルギーの消費率に関する統計情報、現在以前の直近のエネルギーの補給時期及び補給量、並びに、直近のエネルギーの補給時以後の稼働時間情報及び稼働量情報に基づいて、あとどれだけの量または時間の稼働をさせたときに、エネルギーの補給が必要となるかを算出できる。このように、メンテナンス時期予測部１９は、次回のエネルギー補給時までに稼働可能な量または稼働可能な時間を予測し、出力部１７は、これらの予測された情報をメンテナンス推奨情報として端末Ｔに出力する。
【００７０】
また、現在以降の複数日に亘る稼働量または稼働時間に関する情報が作業予定情報として取得された場合には、メンテナンス時期予測部１９は、エネルギーの補給日を予測できる。即ち、メンテナンス時期予測部１９は、現在以降の各日の作業予定情報に基づいて、日毎のエネルギーの消費率を算出できるので、消費率が１００％に達する日を判定できる。出力部１７は、メンテナンス時期予測部１９により判定された、消費率が１００％に達する日を、メンテナンス推奨情報として出力する。これにより、建設機械に対するエネルギーの補給時期が適切に予測され、予測された補給時期に関する情報を端末Ｔのユーザに認識させることができる。
【００７１】
次に、図１３及び図１４を参照して、本実施形態の管理システム１の動作について説明する。図１３は、管理システム１において実施される基本機械データの管理に関する管理方法の処理内容を示すフローチャートである。
【００７２】
ステップＳ１において、基本機械データ取得部１１は、基本機械データを端末Ｔから取得する。そして、基本機械データ取得部１１は、取得した基本機械データを基本機械データ記憶部３０に記憶させる。
【００７３】
ステップＳ２において、管理情報発行部１２は、取得した基本機械データ及び対応する建設機械を識別して管理するための管理情報を発行する。管理情報は、建設機械に貼付するためのＱＲコードとして発行されてもよい。
【００７４】
ステップＳ３において、管理情報受信部１３は、基本機械データの表示要求としての管理情報を受信したか否かを判定する。管理情報を受信したと判定された場合には、処理はステップＳ４に進む。一方、管理情報を受信したと判定されなかった場合には、処理は終了する。
【００７５】
ステップＳ４において、機械データ送信部１４は、ステップＳ３において管理情報受信部１３により受信された管理情報に関連付けられた基本機械データを端末Ｔに送信する。
【００７６】
図１４は、管理システム１において実施される点検情報及びメンテナンスに関する情報に基づく管理に関する管理方法の処理内容を示すフローチャートである。まず、図１４に示されるフローチャートの処理に先立って、点検情報取得部１５は、建設機械の点検の結果を示す点検情報を端末Ｔから取得し、取得した点検情報を当該建設機械の管理情報に関連付けて点検情報記憶部４０に記憶させている。また、メンテナンス基礎情報取得部１８が建設機械のメンテナンス基礎情報を取得し、取得したメンテナンス基礎情報を当該建設機械の管理情報に関連付けてメンテナンス情報記憶部５０に記憶させている。そして、メンテナンス統計情報生成部２０は、メンテナンス基礎情報に基づいて、メンテナンス統計情報を生成している。
【００７７】
図１４に示されるフローチャートは、端末Ｔからの所定のリクエストに応じて実行されることとしてもよい。また、図１４に示されるフローチャートは、所定の時間間隔で随時実行されることとしてもよい。
【００７８】
ステップＳ１１において、判断部１６は、点検情報記憶部４０に記憶された点検情報を参照して、建設機械の稼働の可否を判断する。ステップＳ１２において、稼働可能であると判断された場合には、処理はステップＳ１４に進む。一方、稼働可能であると判断されなかった場合には、処理はステップＳ１３に進む。ステップＳ１３において、出力部１７は、建設機械に関して稼働不可である旨の稼働可否情報を端末Ｔに出力する。
【００７９】
ステップＳ１４において、メンテナンス時期予測部１９は、メンテナンス基礎情報及びメンテナンス統計情報に基づいて、構成部品の交換時期及び／またはエネルギーの補給の時期を予測し、例えば、直近の作業中または現在以降の所定機間における、構成部品の交換及び／またはエネルギーの補給の要否を判断する。
【００８０】
ステップＳ１５において、構成部品の交換及び／またはエネルギーの補給が必要であると判断された場合には、処理はステップＳ１６に進む。一方、構成部品の交換及び／またはエネルギーの補給が必要であると判断されなかった場合には、処理はステップＳ１７に進む。
【００８１】
ステップＳ１６において、出力部１７は、当該建設機械が稼動可能である旨を端末Ｔに通知する。一方、ステップＳ１７において、出力部１７は、構成部品の交換及び／またはエネルギーの補給に関する情報（例えば、構成部品の損耗率が１００％に達するまでの施工の量に関する情報、及びエネルギーの消費率が１００％に達するまでの稼動の量に関する情報等）を端末Ｔに通知する。
【００８２】
次に、図１５を参照して、コンピュータを管理装置１０として機能させるための管理プログラムを説明する。管理プログラムｐ１０は、メインモジュールｍ１０、基本機械データ取得モジュールｍ１１、管理情報発行モジュールｍ１２、管理情報受信モジュールｍ１３、機械データ送信モジュールｍ１４、点検情報取得モジュールｍ１５、判断モジュールｍ１６、出力モジュールｍ１７、メンテナンス基礎情報取得モジュールｍ１８、メンテナンス時期予測モジュールｍ１９及びメンテナンス統計情報生成モジュールｍ２０を含む。
【００８３】
メインモジュールｍ１０は、管理処理を統括的に制御する部分である。基本機械データ取得モジュールｍ１１、管理情報発行モジュールｍ１２、管理情報受信モジュールｍ１３、機械データ送信モジュールｍ１４、点検情報取得モジュールｍ１５、判断モジュールｍ１６、出力モジュールｍ１７、メンテナンス基礎情報取得モジュールｍ１８、メンテナンス時期予測モジュールｍ１９及びメンテナンス統計情報生成モジュールｍ２０を実行することにより実現される機能はそれぞれ、図２に示される管理装置１０の基本機械データ取得部１１、管理情報発行部１２、管理情報受信部１３、機械データ送信部１４、点検情報取得部１５、判断部１６、出力部１７、メンテナンス基礎情報取得部１８、メンテナンス時期予測部１９及びメンテナンス統計情報生成部２０の機能と同様である。
【００８４】
管理プログラムｐ１０は、例えば、磁気ディスクや光ディスクまたは半導体メモリ等の記憶媒体ｒｍ１０によって提供される。また、管理プログラムｐ１０は、搬送波に重畳されたコンピュータデータ信号として通信ネットワークを介して提供されてもよい。
【００８５】
以上説明した本実施形態の管理システム１、管理方法及び管理プログラムｐ１０によれば、建設機械に関する基本機械データが端末から取得され、管理情報により一意に識別されるので、取得したされた基本機械データを記憶手段に記憶させることにより、建設機械の管理を容易にできる。また、管理している基本機械データが管理情報に基づいて端末に送信されるので、建設機械に関する情報を容易に参照できる。従って、関係会社により持ち込まれた建設機械の管理及び運用を容易に行うことができる。
【００８６】
以上、本発明をその実施形態に基づいて詳細に説明した。しかし、本発明は上記実施形態に限定されるものではない。本発明は、その要旨を逸脱しない範囲で様々な変形が可能である。
【符号の説明】
【００８７】
１…管理システム、１０…管理装置、１１…基本機械データ取得部、１２…管理情報発行部、１３…管理情報受信部、１４…機械データ送信部、１５…点検情報取得部、１６…判断部、１７…出力部、１８…メンテナンス基礎情報取得部、１９…メンテナンス時期予測部、２０…メンテナンス統計情報生成部、３０…基本機械データ記憶部、４０…点検情報記憶部、５０…メンテナンス情報記憶部、ｍ１０…メインモジュール、ｍ１１…基本機械データ取得モジュール、ｍ１２…管理情報発行モジュール、ｍ１３…管理情報受信モジュール、ｍ１４…機械データ送信モジュール、ｍ１５…点検情報取得モジュール、ｍ１６…判断モジュール、ｍ１７…出力モジュール、ｍ１８…メンテナンス基礎情報取得モジュール、ｍ１９…メンテナンス時期予測モジュール、ｍ２０…メンテナンス統計情報生成モジュール、Ｎ…ネットワーク、ｐ１０…管理プログラム、ｒｍ１０…記憶媒体、Ｔ，Ｔ１〜Ｔ３…端末。
【図１】
2019153147.tif 000003
【図２】
2019153147.tif 000004
【図３】
2019153147.tif 000005
【図４】
2019153147.tif 000006
【図５】
2019153147.tif 000007
【図６】
2019153147.tif 000008
【図７】
2019153147.tif 000009
【図８】
2019153147.tif 000010
【図９】
2019153147.tif 000011
【図１０】
2019153147.tif 000012
【図１１】
2019153147.tif 000013
【図１２】
2019153147.tif 000014
【図１３】
2019153147.tif 000015
【図１４】
2019153147.tif 000016
【図１５】
2019153147.tif 000017